【手続補正書】
【提出日】平成17年5月11日(2005.5.11)
【手続補正１】
【補正対象書類名】明細書
【補正対象項目名】発明の名称
【補正方法】変更
【補正の内容】
【発明の名称】印刷物発行管理システム、印刷物検証装置、コンテンツ管理装置、印刷物発行管理方法
【手続補正２】
【補正対象書類名】明細書
【補正対象項目名】特許請求の範囲
【補正方法】変更
【補正の内容】
【特許請求の範囲】
【請求項１】
コンテンツの管理を行うコンテンツ管理手段と、該コンテンツ管理手段から取得した前記コンテンツを印刷記録媒体に印刷する印刷物発行手段と、検証対象の印刷記録媒体の真贋判定を行う印刷物検証手段を含み、前記印刷記録媒体は、前記コンテンツを特定するためのＩＤ情報を有しており、前記印刷物検証手段は、検証対象の印刷記録媒体からＩＤ情報を読み取って該ＩＤ情報により特定される前記コンテンツの画像情報を前記コンテンツ管理手段から取得し前記検証対象の印刷記録媒体に印刷されている画像と照合することにより前記検証対象の印刷記録媒体の真贋を判断することを特徴とする印刷物発行管理システム。
【請求項２】
コンテンツの管理を行うコンテンツ管理手段と、該コンテンツ管理手段から取得した前記コンテンツを印刷記録媒体に印刷する印刷物発行手段と、検証対象の印刷記録媒体の真贋判定を行う印刷物検証手段を含み、前記印刷記録媒体は、前記コンテンツを特定するためのＩＤ情報を有しており、前記印刷物検証手段は、検証対象の印刷記録媒体からＩＤ情報を読み取るとともに前記検証対象の印刷記録媒体に印刷されている画像を読み取って前記ＩＤ情報とともに前記コンテンツ管理手段に送り、前記コンテンツ管理手段は、前記印刷物検証手段から送られてきた前記ＩＤ情報により特定される前記コンテンツの画像情報と同じく前記印刷物検証手段から送られてきた画像とを照合することにより前記検証対象の印刷記録媒体の真贋を判断して判断結果を印刷物検証手段に返送することを特徴とする印刷物発行管理システム。
【請求項３】
前記印刷記録媒体は、ＩＣチップを含んでおり、前記印刷物発行手段は、前記ＩＤ情報を前記ＩＣチップに記録し、前記印刷物検証手段は、検証対象の印刷記録媒体のＩＣチップから前記ＩＤ情報を読み出すことを特徴とする請求項１または請求項２に記載の印刷物発行管理システム。
【請求項４】
前記印刷記録媒体は、当該印刷記録媒体を特定するＩＤ情報が記録されたＩＣチップを含んでおり、前記印刷物発行手段は、前記印刷記録媒体の前記ＩＣチップから前記ＩＤ情報を読み出して当該印刷記録媒体に印刷するコンテンツと対応づけることを特徴とする請求項１または請求項２に記載の印刷物発行管理システム。
【請求項５】
前記印刷物発行手段は、前記ＩＤ情報を前記コンテンツとともに前記印刷記録媒体に印刷し、前記印刷物検証手段は、検証対象の印刷記録媒体から前記ＩＤ情報を含む画像を読み取り、ＩＤ情報を認識することを特徴とする請求項１または請求項２に記載の印刷物発行管理システム。
【請求項６】
前記ＩＤ情報は、前記コンテンツの保管場所の情報を含むことを特徴とする請求項１ないし請求項３のいずれか１項または請求項５に記載の印刷物発行管理システム。
【請求項７】
前記ＩＤ情報は、検証時に認証を行うための暗証ＩＤと、前記印刷物記録媒体に印刷されているコンテンツを特定するための参照情報の保管場所の情報を含み、前記印刷物発行手段は、ＩＤ情報として前記暗証ＩＤと前記参照情報の保管場所の情報を記録することを特徴とする請求項１ないし請求項３のいずれか１項または請求項５に記載の印刷物発行管理システム。
【請求項８】
コンテンツの内容が印刷されるとともに前記コンテンツを特定するためのＩＤ情報を含んだ印刷記録媒体の検証を行う印刷物検証装置において、前記印刷記録媒体から前記ＩＤ情報とともに前記印刷記録媒体に印刷されている画像を読み取る情報取得手段と、前記ＩＤ情報をもとに外部装置への問い合わせを行い当該印刷記録媒体に印刷したコンテンツの画像を取得するコンテンツ取得手段と、前記取得手段で取得したコンテンツの画像と前記情報取得手段で前記印刷記録媒体から読み取った画像とを照合して前記印刷記録媒体の真贋を判定する判定手段を有することを特徴とする印刷物検証装置。
【請求項９】
前記印刷記録媒体は、ＩＣチップを含んでおり、前記情報取得手段は、前記印刷記録媒体のＩＣチップから前記ＩＤ情報を読み出すことを特徴とする請求項８に記載の印刷物検証装置。
【請求項１０】
前記情報取得手段は、前記印刷記録媒体から前記ＩＤ情報を含む画像を読み取り、ＩＤ情報を分離して認識することを特徴とする請求項８に記載の印刷物検証装置。
【請求項１１】
前記ＩＤ情報は、前記コンテンツの保管場所の情報を含むことを特徴とする請求項８ないし請求項１０のいずれか１項に記載の印刷物検証装置。
【請求項１２】
前記ＩＤ情報は、検証時に認証を行うための暗証ＩＤと、前記印刷物記録媒体に印刷されているコンテンツを特定するための参照情報の保管場所の情報を含むことを特徴とする請求項８ないし請求項１０のいずれか１項に記載の印刷物検証装置。
【請求項１３】
コンテンツ及び該コンテンツが印刷された印刷記録媒体の管理を行うコンテンツ管理装置において、外部装置との通信を行い前記印刷記録媒体に印刷されたコンテンツを特定するためのＩＤ情報及び該ＩＤ情報とともに前記印刷記録媒体から読み取られた画像を受け付ける通信手段と、前記ＩＤ情報をもとに前記コンテンツを特定して前記画像との照合を行い真贋を判定する判定手段を有し、前記判定手段による判定結果を前記通信手段より前記外部装置へ返送することを特徴とするコンテンツ管理装置。
【請求項１４】
さらに、印刷記録媒体に記録したＩＤ情報と当該印刷記録媒体に印刷したコンテンツとを対応づけた参照表を保持する保持手段を有し、前記判定手段は、前記通信手段で受け取った前記ＩＤ情報をもとに前記保持手段中の前記参照表を参照してコンテンツを特定することを特徴とする請求項１３に記載のコンテンツ管理装置。
【請求項１５】
コンテンツをコンテンツ管理手段で管理しており、該コンテンツ管理手段から取得した前記コンテンツを印刷物発行手段により印刷記録媒体に印刷し、また、検証対象の印刷記録媒体の真贋判定を印刷物検証手段で行う印刷物発行管理方法であって、前記印刷記録媒体は前記コンテンツを特定するためのＩＤ情報を有しており、印刷物検証手段では、前記検証対象の印刷記録媒体からＩＤ情報を読み取って、該ＩＤ情報により特定される前記コンテンツの画像情報を前記コンテンツ管理手段から取得し、前記検証対象の印刷記録媒体に印刷されている画像と照合することにより、前記検証対象の印刷記録媒体の真贋を判断することを特徴とする印刷物発行管理方法。
【請求項１６】
コンテンツをコンテンツ管理手段で管理しており、該コンテンツ管理手段から取得した前記コンテンツを印刷物発行手段により印刷記録媒体に印刷し、また、検証対象の印刷記録媒体の真贋判定を印刷物検証手段で行う印刷物発行管理方法であって、前記印刷記録媒体は前記コンテンツを特定するためのＩＤ情報を有しており、前記印刷物検証手段では、前記検証対象の印刷記録媒体からＩＤ情報を読み取るとともに、前記検証対象の印刷記録媒体に印刷されている画像を読み取って前記ＩＤ情報とともに前記コンテンツ管理手段に送り、前記コンテンツ管理手段では、前記印刷物検証手段から送られてきた前記ＩＤ情報により特定される前記コンテンツの画像情報と、同じく前記印刷物検証手段から送られてきた画像とを照合することにより前記検証対象の印刷記録媒体の真贋を判断し、判断結果を前記印刷物検証手段に返送することを特徴とする印刷物発行管理方法。
【手続補正３】
【補正対象書類名】明細書
【補正対象項目名】００１０
【補正方法】変更
【補正の内容】
【００１０】
【発明が解決しようとする課題】
本発明は、上述した事情に鑑みてなされたもので、印刷記録媒体に印刷されている内容に対する改竄が行われた場合でも、印刷内容の真贋を判定し、印刷記録媒体の印刷内容の安全性を保証することができる印刷物発行管理システム及び印刷物発行管理方法を提供するとともに、そのような印刷物発行管理システムにおいて利用する印刷物検証装置、コンテンツ管理装置を提供することを目的とするものである。
【手続補正４】
【補正対象書類名】明細書
【補正対象項目名】００１１
【補正方法】変更
【補正の内容】
【００１１】
【課題を解決するための手段】
本発明は、印刷物発行管理システム及び印刷物発行管理方法において、コンテンツの管理を行うコンテンツ管理手段と、コンテンツ管理手段から取得したコンテンツを印刷記録媒体に印刷する印刷物発行手段と、検証対象の印刷記録媒体の真贋判定を行う印刷物検証手段を含むものであって、印刷記録媒体にコンテンツを特定するためのＩＤ情報を記録しておき、印刷物検証手段で検証対象の印刷記録媒体からＩＤ情報を読み取って、そのＩＤ情報により特定されるコンテンツの画像情報を検証対象の印刷記録媒体に印刷されている画像と照合することにより検証対象の印刷記録媒体の真贋を判断することを特徴とするものである。画像の照合による真贋の判断は、印刷物検証手段で行ってもよいし、あるいはコンテンツ管理手段で行ってもよい。